(57)【要約】      （修正有）【課題】操作つまみの中心と化粧パネルの貫通孔の中心との位置ズレを軽減できるガスコンロを提供する。【解決手段】筐体と押し込み操作が可能であり押し込み方向回りの回動が自在な操作つまみ１３を有し、操作つまみ１３が筐体の内部から前面に突出した状態で配設される燃料供給装置２０と、貫通孔を有し、操作つまみ１３が貫通孔に挿入された状態で筐体の前面に固定されるパネル装置と、操作つまみ１３の回動方向の断面形状と同形状の貫通孔５２Ａを有し、操作つまみ１３が貫通孔５２Ａに挿入された状態でパネル装置の前面に装着される化粧パネル５２と、を備えるガスコンロであって、ガスコンロは、燃料供給装置２０とパネル装置とを連結する固定具４２を有する。【選択図】図９
2019044993.tif 000002
【特許請求の範囲】
【請求項１】
筐体と
押し込み操作が可能であり押し込み方向回りの回動が自在な操作つまみを有し、前記操作つまみが前記筐体の内部から前面に突出した状態で配設される燃料供給装置と、
開口部を有し、前記操作つまみが前記開口部に挿入された状態で前記筐体の前記前面に固定されるパネル装置と
前記操作つまみの回動方向の断面形状と同形状の貫通孔を有し、前記操作つまみが前記貫通孔に挿入された状態で前記パネル装置の前記前面に装着される化粧パネルと、
を備えるガスコンロであって、
前記ガスコンロは、前記燃料供給装置と前記パネル装置とを連結する固定具を有することを特徴とするガスコンロ。
【請求項２】
前記筐体の前面上部に前フレームが固定されており、
前記パネル装置と前記燃料供給装置は、前記前フレームを手前奥手から挟み込んだ状態で前記固定具により連結されており、
前記固定具は、前記前フレームに平行且つ前記操作つまみの押し込み方向に対して垂直な前端部に差し込み片とネジを挿入する第一ネジ孔を有し、
前記前フレームは、前記差し込み片を差し込むスリットと前記ネジを挿入する第二ネジ孔を有し、
前記パネル装置は、第三ネジ孔を有し、
前記固定具の前記差し込み片を前記スリットに差し込み、前記パネル装置、前記前フレーム、前記前端部の前記第一ネジ孔、前記第二ネジ孔、前記第三ネジ孔に前記ネジを挿入して固定することで前記燃料供給装置の前記固定具を固定すること特徴とする請求項１に記載のガスコンロ。
【請求項３】
前記固定具は、前記前フレームに平行且つ前記操作つまみの押し込み方向に対して垂直な後端部に挿入孔とネジを挿入する第四ネジ孔を有し、ガス燃料の流量を調節する流量調節部の前記前面に設けた突起部と第五ネジ孔の前記突起部を前記挿入孔に挿入し、前記第四ネジ孔と前記第五ネジ孔に前記ネジを挿入して固定することを特徴とする請求項２に記載のガスコンロ。
【請求項４】
前記ネジは、共締め用のネジであることを特徴とする請求項２又は３に記載のガスコンロ。
【請求項５】
前記固定具は、略コの字形状に形成されており、前記化粧パネル側の前端部に平行な後端部の一部と前記前端部と前記後端部を繋ぐ繋ぎ部の上下側に夫々前記固定具の内側方向に延設している第一フランジ部を有することを特徴とする請求項１乃至４の何れか一に記載のガスコンロ。
【請求項６】
前記化粧パネルの前記貫通孔の内部に、前記化粧パネルの裏面に沿って摺動可能に挿入されている筒部材が設けられ、前記筒部材に前記操作つまみが挿入されることを特徴とする請求項１乃至５の何れか一に記載のガスコンロ。
【請求項７】
前記筒部材は、前記筒部材の前記化粧パネル側の端部に前記筒部材本体の外側方向に延設された第二フランジ部を有し、
前記第二フランジ部は、前記化粧パネルと前記パネル装置との間の空間に挿入されていることを特徴とする請求項６に記載のガスコンロ。
【請求項８】
前記固定具は、前記燃料供給装置と前記パネル装置とを脱着可能に連結していることを特徴とする請求項１乃至７の何れか一に記載のガスコンロ。
【発明の詳細な説明】
【技術分野】
【０００１】
本発明はガスコンロに関する。
【背景技術】
【０００２】
ガスコンロは、コンロバーナにガスを供給する燃料供給装置を備える。押し込み操作が可能で押し込み方向に回動自在な操作具（操作つまみ）を備えた燃料供給装置を、グリル庫の左右に配したガスコンロが知られている（例えば、特許文献１を参照）。この種のガスコンロは、筐体前面に取り付けられるパネル装置と、パネル装置に装着される化粧パネルを有している。化粧パネルは、パネルに設けた貫通孔に操作具を挿入させるようにしてパネル装置に装着される。
【先行技術文献】
【特許文献】
【０００３】
【特許文献１】特開２０１７−３１６４号公報
【発明の概要】
【発明が解決しようとする課題】
【０００４】
しかしながら、この種の燃料供給装置は押し込み方向に長手に形成られている為、つり合いが取れた状態で固定するのが難しい。その為、操作具の中心が貫通孔の中心から位置ズレし、ガスコンロの操作部分の見た目を損ねる恐れがある。
【０００５】
本発明の目的は、操作つまみの中心と化粧パネルの貫通孔の中心との位置ズレを軽減できるガスコンロを提供することである。
【課題を解決するための手段】
【０００６】
請求項１に係るガスコンロは、筐体と押し込み操作が可能であり押し込み方向回りの回動が自在な操作つまみを有し、前記操作つまみが前記筐体の内部から前面に突出した状態で配設される燃料供給装置と、開口部を有し、前記操作つまみが前記開口部に挿入された状態で前記筐体の前記前面に固定されるパネル装置と前記操作つまみの回動方向の断面形状と同形状の貫通孔を有し、前記操作つまみが前記貫通孔に挿入された状態で前記パネル装置の前記前面に装着される化粧パネルと、を備えるガスコンロであって、前記ガスコンロは、前記燃料供給装置と前記パネル装置とを連結する固定具を有することを特徴とする。
【０００７】
請求項２に係るガスコンロは、請求項１に記載の構成に加え、前記筐体の前面上部に前フレームが固定されており、前記パネル装置と前記燃料供給装置は、前記前フレームを手前奥手から挟み込んだ状態で前記固定具により連結されており、前記固定具は、前記前フレームに平行且つ前記操作つまみの押し込み方向に対して垂直な前端部に差し込み片とネジを挿入する第一ネジ孔を有し、前記前フレームは、前記差し込み片を差し込むスリットと前記ネジを挿入する第二ネジ孔を有し、前記パネル装置は、第三ネジ孔を有し、前記固定具の前記差し込み片を前記スリットに差し込み、前記パネル装置、前記前フレーム、前記前端部の前記第一ネジ孔、前記第二ネジ孔、前記第三ネジ孔に前記ネジを挿入して固定することで前記燃料供給装置の前記固定具を固定すること特徴とする。
【０００８】
請求項３に係るガスコンロは、請求項２に記載の構成に加え、前記固定具は、前記前フレームに平行且つ前記操作つまみの押し込み方向に対して垂直な後端部に挿入孔とネジを挿入する第四ネジ孔を有し、ガス燃料の流量を調節する流量調節部の前記前面に設けた突起部と第五ネジ孔の前記突起部を前記挿入孔に挿入し、前記第四ネジ孔と前記第五ネジ孔に前記ネジを挿入して固定することを特徴とする。
【０００９】
請求項４に係るガスコンロは、請求項２又は３に記載の構成に加え、前記ネジは、共締め用のネジであることを特徴とする。
【００１０】
請求項５に係るガスコンロは、請求項１乃至４の何れか一に記載の構成に加え、前記固定具は、略コの字形状に形成されており、前記化粧パネル側の前端部に平行な後端部の一部と前記前端部と前記後端部を繋ぐ繋ぎ部の上下側に夫々前記固定具の内側方向に延設している第一フランジ部を有することを特徴とする。
【００１１】
請求項６に係るガスコンロは、請求項１乃至５の何れか一に記載の構成に加え、前記化粧パネルの前記貫通孔の内部に、前記化粧パネルの裏面に沿って摺動可能に挿入されている筒部材が設けられ、前記筒部材に前記操作つまみが挿入されることを特徴とする。
【００１２】
請求項７に係るガスコンロは、請求項６に記載の構成に加え、前記筒部材は、前記筒部材の前記化粧パネル側の端部に前記筒部材本体の外側方向に延設された第二フランジ部を有し、前記第二フランジ部は、前記化粧パネルと前記パネル装置との間の空間に挿入されていることを特徴とする。
【００１３】
請求項８に係るガスコンロは、請求項１乃至７の何れか一に記載の構成に加え、前記固定具は、前記燃料供給装置と前記パネル装置とを脱着可能に連結していることを特徴とする。
【発明の効果】
【００１４】
請求項１に係るガスコンロによれば、化粧パネルが取り付けられるパネル装置に固定具で燃料供給装置を固定するので、操作つまみの位置ずれを防ぐことができる。故に、美観を損ねないガスコンロを提供することができる。
【００１５】
請求項２に係るガスコンロによれば、請求項１に記載の発明の効果に加え、前フレームに設けたスリットに、固定具の差し込み片を差し込むので、固定具の位置合わせが容易にできる。従って、固定具と固定具に連結されている燃料供給装置に位置ズレが生じるのを防ぐことができる。
【００１６】
請求項３に係るガスコンロによれば、請求項２に記載の発明の効果に加え、燃料供給装置と固定具を位置決めして固定することができる。従って、パネル装置の開口部、化粧パネルの貫通孔に操作つまみを挿入して固定する際に、操作つまみの中心と貫通孔の中心の位置ズレを防ぐことができる。
【００１７】
請求項４に係るガスコンロによれば、請求項２又は３に記載の発明の効果に加え、ネジの緩みが生じるのを防ぐことができる。
【００１８】
請求項５に係るガスコンロによれば、請求項１乃至４の何れか一に記載の発明の効果に加え、固定具の強度を強化することができる。
【００１９】
請求項６に係るガスコンロによれば、請求項１乃至５の何れか一に記載の発明の効果に加え、化粧パネルの貫通孔の中心と、操作つまみの中心がズレたとしても、筒部材によりそのズレを目立たなくすることができる。故に、美観を損ねない。
【００２０】
請求項７に係るガスコンロによれば、請求項６に記載の発明の効果に加え、操作つまみの中心と化粧パネルの中心がズレたとしても、フランジ部が隙間を埋めてくれるので、美観を損ねない。
【００２１】
請求項８に係るガスコンロによれば、請求項１乃至７の何れか一に記載の発明の効果に加え、各部品を製造する為のキャストを大幅に変更する必要がないため、製造コストを軽減することができる。
【００２２】
なお、本発明は、請求項１乃至８の夫々の発明特定事項を任意に組み合わせてもよい。
【図面の簡単な説明】
【００２３】
【図１】ガスコンロ１の斜視図である。
【図２】燃料供給装置２０の斜視図である。
【図３】固定具４２の斜視図である。
【図４】固定具４２を燃料供給装置２０に装着している状態の斜視図である。
【図５】筐体２に燃料供給装置２０（左側のみ）を取り付けた状態の斜視図である。
【図６】筐体２にパネル装置５１（左側のみ）を装着した状態の斜視図である。
【図７】化粧パネル５２の前面図である。
【図８】化粧パネル５２、筒部材５２Ｂ、パネル装置５１の分解図である。
【図９】図７のラインＡＳでの、筒部材５２Ｂを有する化粧パネル５２が装着され、筒部材５２Ｂと貫通孔５２Ａに燃料供給装置２０が挿入されている状態で固定されている場合の断面図である。
【発明を実施するための形態】
【００２４】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２５】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００２６】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００２７】
図２を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、奥バーナ６にガスを供給する燃料供給装置２０を一例として説明し、右バーナ４、左バーナ５、グリル装置にガスを供給する燃料供給装置については説明を省略する。
【００２８】
図２に示す様に、燃料供給装置２０は、操作つまみ１３の押し込み操作と回動操作により、奥バーナ６の点火と消火、及び奥バーナ６に供給するガス量の調節を行う装置である。押し込み操作は、操作つまみ１３の前面を後方へ押圧し、ガスコンロ１の前面よりも奥側に押し込む操作である。回動操作は、操作つまみ１３の側面を把持し、前後方向の軸（軸心ＡＸ）を中心に回動する操作である。燃料供給装置２０は、操作つまみ１３とプッシュ・プッシュ機構等を有する操作部、ガス流路部、火力調節カム、流量調節部３１等を備える。
【００２９】
操作つまみ１４は略円柱状に形成される。操作つまみ１４は、ガスコンロ１の後方へ向けて押し込み移動させることにより、待機位置、押込位置、操作位置の各位置に移動する。待機位置は、操作つまみ１４の先端面が、ガスコンロ１の前面とほぼ面一となる位置である。待機位置において、操作つまみ１４の先端面は、ガスコンロ１の前面よりも僅かに後側に位置してもよいし、僅かに前側に位置してもよい。押込位置は、操作つまみ１４の先端面が、ガスコンロ１の前面よりも後方に押し込まれた位置である。操作つまみ１４は、押込位置にて待機位置よりも後方に位置する。操作位置は、操作つまみ１４の先端面が、ガスコンロ１の前面に対して突出する位置である。操作つまみ１４は、操作位置にて待機位置よりも前方に位置する。操作位置にあるとき、操作つまみ１４は、前後方向に沿う軸心ＡＸを中心に回動可能（回動操作可能）である。
【００３０】
流量調節部３１は、プッシュ・プッシュ機構とガス流路部の上部に設けられる。ガス燃料の流量を調節する流量調節部３１の内部には第二ガス通路（図示略）が形成される。流量調節部３１は、図２に示す様に、流量調節部３１の前面に左右に並んで前方に突出する２つの突起部３１Ａとネジ５０を挿入する２つのネジ孔３１Ｂが形成されている。ネジ孔３１Ｂは、軸心ＡＸから左右方向に突起部３１Ａより離れた位置に夫々形成されている。流量調節部３１は、公知であるので詳しい説明は省略する。また、プッシュ・プッシュ機構とガス流路部は、公知であるので説明は省略する。
【００３１】
図１に示す様に、ガスコンロ１は、グリル扉８の右側の領域に、右バーナ４とグリル装置の火力表示を行うパネル装置５１を備え、グリル扉８の左側の領域に、左バーナ５と奥バーナ６の火力表示を行うパネル装置５１を備える。
【００３２】
図３を参照し、流量調節部３１の前面に固定される固定具４２について説明する。固定具４２は、図３に示す様に、略コの字状に形成されおり、第一部分４２Ａと第二部分４２Ｂと第三部分４２Ｃとから構成されている。第一部分４２Ａは、流量調節部３１の前面に固定される部分であり、固定時に、左右に延設されて形成される。第一部分４２Ａは、図３に示す様に、流量調節部３１の突起部３１Ａとネジ孔３１Ｂに対向する位置に、夫々２つの挿入孔４２Ｄと第一孔４２Ｅが形成されている。第二部分４２Ｂは、第一部分４２Ａの左側端部から前方に延設されて形成されている。第三部分４２Ｃは、第二部分４２Ｂの前側端部から右方向に延設されて形成されている。第三部分４２Ｃは、図３に示す様に、右側先端部を前方に垂直に折り曲げて形成した突起部４２Ｆと、第三部分４２Ｃの左右方向の略中央に第二孔４２Ｇが形成されている。固定具４２は、図３に示す様に、第二部分４２Ｂと第一部分４２Ａの一部の上下にフランジ部４２Ｈが夫々形成されている。これにより、固定具４２の強度を強化することができる。
【００３３】
図４を参照し、固定具４２の流量調節部３１（燃料供給装置２０）への固定方法について説明する。固定具４２は、挿入孔４２Ｄに流量調節部３１の突起部３１Ａが挿入され、固定具の位置決めが行われる。そして、固定具４２と流量調節部３１は、固定具４２の第一孔４２Ｅと流量調節部３１のネジ孔３１Ｂに共締め用のネジ５０が夫々挿入され、ネジ止めされ固定される。共締め用のネジでネジ止めするのは、ネジの緩みを防ぐ為である。
【００３４】
図５を参照し、固定具４２（燃料供給装置２０）の筐体２への取り付けについて説明する。筐体２は、図５に示す様に、グリル装置の設置位置の左右の上部に前フレーム２Ａを夫々有する。前フレーム２Ａは、図５に示す様に、前面上部の両端部の固定具４２の突起部４２Ｆと第二孔４２Ｇに対向する位置に、固定具４２の突起部４２Ｆを挿入するスリット２Ｂとネジ孔２Ｃが形成されている。各前フレーム２Ａには、２つの燃料供給装置２０が固定具４２で夫々固定されるので、スリット２Ｂとネジ孔２Ｃは２つずつ形成されている。
【００３５】
図６を参照し、パネル装置５１について説明する。図６は、左側の前フレーム２Ａにパネル装置５１が装着されている図である。パネル装置５１は、図６に示す様に、前面上部の両端部にネジ孔５１Ａが夫々形成されている。ネジ孔５１Ａは、左側の前フレーム２Ａのネジ孔２Ｃに対向する位置に形成されている。また、パネル装置５１は、図６に示す様に、操作つまみ１３，１４を挿入する為の２つの貫通孔５１Ｂが形成されている。従って、操作つまみ１３，１４を貫通孔５１Ｂに夫々挿入した状態で、パネル装置５１と前フレーム２Ａと固定具４２を共締め用のネジでネジ止めすることで筐体２に固定することができる。共締め用のネジでネジ止めするのは、ネジの緩みを防ぐ為である。また、突起部４２Ｆをスリット２Ｂに挿入して位置決めし、第二孔４２Ｇと、ネジ孔２Ｃと、ネジ孔５１Ａをネジ止めして固定した状態で、操作つまみ１３，１４の軸心ＡＸが貫通孔５１Ｂの中心と一致するように、突起部４２Ｆ、スリット２Ｂ、第二孔４２Ｇ、ネジ孔２Ｃ、ネジ孔５１Ａの位置が決められている。
【００３６】
図７を参照し、化粧パネル５２について説明する。化粧パネル５２は、図７に示す様に、操作つまみ１３，１４の前後方向に対して垂直断面の形状と同形状の貫通孔５２Ａが形成されている。
【００３７】
図８と図９を参照し、化粧パネル５２の貫通孔５２Ａ内に設けられた筒部材５２Ｂについて説明する。図８は、化粧パネル５２、筒部材５２Ｂ、パネル装置５１の分解図である。貫通孔５２Ａは、図８と図９に示す様に、貫通孔５２Ａ内の後端部において化粧パネル５２の後面に沿って摺動自在な筒部材５２Ｂを有する。筒部材５２Ｂの外径は、パネル装置５１の貫通孔５１Ｂの径より小さく形成され、筒部材５２Ｂの後端部分は貫通孔５１Ｂに挿入される。筒部材５２Ｂは、図８と図９に示す様に、前端部の外周から離れる方向に延設された、外周の形状が円状のフランジ部５２Ｂ１を有する。フランジ部５２Ｂ１は先端部が前方に折れ曲がった形状、つまり、Ｌ字形状に形成されている。また、フランジ部５２Ｂ１の外径は、貫通孔５１Ｂの径より大きく形成されている。フランジ部５２Ｂ１は、図９に示す様に、パネル装置５１と化粧パネル５２との間の空間に挿入されている。以上に説明したように、筒部材５２Ｂの後端部分は貫通孔５１Ｂに挿入され、筒部材５２Ｂの外径が貫通孔５１Ｂの径より小さく、フランジ部５２Ｂ１の外径が貫通孔５１Ｂの径より大きい。故に、筒部材５２Ｂは、貫通孔５２Ａ内の後端部において化粧パネル５２の面に沿って摺動自在になる。
【００３８】
この様に、摺動自在なフランジ部５２Ａ１を有する筒部材５２Ｂが貫通孔５２Ａ内に挿入されており、操作つまみ１３を筒部材５２Ｂに挿入させることで、化粧パネル５２の前面から見た際に、操作つまみ１３の位置ズレを目立たなくすることができる。この様な筒部材５２Ｂを更に貫通孔５２Ａ内に挿入するのは、ガスコンロ１毎に、突起部４２Ｆをスリット２Ｂに挿入して位置決めし、第二孔４２Ｇと、ネジ孔２Ｃと、ネジ孔５１Ａをネジ止めして固定した状態で、操作つまみ１３，１４の軸心ＡＸが貫通孔５１Ｂの中心と一致するように、突起部４２Ｆ、スリット２Ｂ、第二孔４２Ｇ、ネジ孔２Ｃ、ネジ孔５１Ａの位置を決めるのは困難であるからである。つまり、ガスコンロ１によっては、突起部４２Ｆをスリット２Ｂに挿入して位置決めし、第二孔４２Ｇと、ネジ孔２Ｃと、ネジ孔５１Ａをネジ止めして固定した場合に、操作つまみ１３の軸心ＡＸと貫通孔５２Ａの中心にズレが生じる場合有る。ズレが生じた場合に、筒部材５２Ｂが隙間を埋めて、ズレを目立たなくできるので、美観が損なわれるのを防ぐことができる。
【００３９】
上記実施形態によれば、ガスコンロ１は、筐体２と押し込み操作が可能であり押し込み方向回りの回動が自在な操作つまみ１３を有し、操作つまみ１３が筐体の内部から前面に突出した状態で配設される燃料供給装置２０を備える。ガスコンロ１は、貫通孔５１Ｂを有し、操作つまみ１３が貫通孔５１Ｂに挿入された状態で筐体２の前面に固定されるパネル装置５１を備える。ガスコンロ１は、操作つまみ１３の回動方向の断面形状と同形状の貫通孔５２Ａを有し、操作つまみ１３が貫通孔５２Ａに挿入された状態でパネル装置５１の前面に装着される化粧パネル５２を備える。ガスコンロ１は、燃料供給装置２０とパネル装置５１とを連結する固定具４２を有する。化粧パネル５２が取り付けられるパネル装置５１に固定具４２で燃料供給装置２０を固定するので、操作つまみ１３の位置ずれを防ぐことができる。故に、美観を損ねないガスコンロ１を提供することができる。
【００４０】
上記説明において、ガスコンロ１は、「ガスコンロ」の一例である。筐体２は、「筐体」の一例である。前フレーム２Ａは、「前フレーム」の一例である。スリット２Ｂは、「スリット」の一例である。ネジ孔２Ｃは、「第二ネジ孔」の一例である。操作つまみ１３は、「操作つまみ」の一例である。燃料供給装置２０は、「燃料供給装置」の一例である。流量調節部３１は、「燃料調節部」の一例である。突起部３１Ａは、「突起部」の一例である。ネジ孔３１Ｂは、「第五ネジ孔」の一例である。固定具４２は、「固定具」の一例である。第一部分４２Ａは、「後端部」の一例である。第二部分４２Ｂは、「繋ぎ部」の一例である。第三部分４２Ｃは、「前端部」の一例である。挿入孔４２Ｄは、「挿入孔」の一例である。第一孔４２Ｅは、「第四ネジ孔」の一例である。突起部４２Ｆは、「差し込み片」の一例である。第二孔４２Ｇは、「第一ネジ孔」の一例である。フランジ部４２Ｈは、「第一フランジ部」の一例である。パネル装置５１は、「パネル装置」の一例である。貫通孔５１Ｂは、「開口部」の一例である。ネジ孔５１Ａは、「第三ネジ孔」の一例である。筒部材５２Ｂは、「筒部材」の一例である。フランジ部５２Ｂ１は、「第二フランジ部」の一例である。
【符号の説明】
【００４１】
１            ガスコンロ
２            筐体
２Ａ          前フレーム
２Ｂ          スリット
２Ｃ          ネジ孔
１３          操作つまみ
２０          燃料供給装置
３１          流量調節部
３１Ａ        突起部
３１Ｂ        ネジ孔
４２          固定具
４２Ａ        第一部分
４２Ｂ        第二部分
４２Ｃ        第三部分
４２Ｄ        挿入孔
４２Ｅ        第一孔
４２Ｆ        突起部
４２Ｇ        第二孔
４２Ｈ        フランジ部
５１          パネル装置
５１Ａ        ネジ孔
５１Ｂ        貫通孔
５２          化粧パネル
５２Ａ        貫通孔
５２Ｂ        フランジ部
【図１】
2019044993.tif 000003
【図２】
2019044993.tif 000004
【図３】
2019044993.tif 000005
【図４】
2019044993.tif 000006
【図５】
2019044993.tif 000007
【図６】
2019044993.tif 000008
【図７】
2019044993.tif 000009
【図８】
2019044993.tif 000010
【図９】
2019044993.tif 000011